(57)【要約】【課題】床上の部屋と中間床上の中間部屋との間で通風、採光、コミュニケーションを容易かつ十分にとれるとともに、プライバシーも確保できる手摺構造を提供する。【解決手段】中間床１１上の中間部屋２０と床１０上の部屋３との境界部に設けられた手摺部２６が、複数の縦材２７・・・を平行に並設した構成となっており、手摺部２６に、縦スライド障子３０が隣り合う前記縦材２７，２７間を上下にスライド可能に設けられているので、床１０上の部屋３と中間床１１上の中間部屋２０との間で通風、採光、コミュニケーションを容易かつ十分にとれ、また、プライバシーも確保できる。【選択図】図１
2010163836.tif 000002
【特許請求の範囲】
【請求項１】
床の一部の上方に中間床が設けられており、
前記中間床上の中間部屋と前記床上の部屋との境界部に、前記中間部屋からの落下を防止する手摺部が設けられた手摺構造において、
前記手摺部は、複数の縦材を平行に並設した構成となっており、
前記手摺部に、縦スライド障子が隣り合う前記縦材間を上下にスライド可能に、かつ前記縦スライド障子の上端部が前記手摺部の上端部と下端部との間で上下にスライド可能に設けられていることを特徴とすることを特徴とする手摺構造。
【請求項２】
請求項１に記載の手摺構造において、
前記縦スライド障子は、平行に並設されて、隣り合う前記縦材間にそれぞれ配置される複数のスライド縦材と、隣り合う前記スライド縦材の下端部を連結する連結材とを備えていることを特徴とする手摺構造。
【請求項３】
請求項２に記載の手摺構造において、
前記縦材とスライド縦材とのうちの一方に凹溝が形成され、他方に凸条が形成され、これら凹溝と凸条とは上下にスライド可能に係合していることを特徴とする手摺構造。
【請求項４】
請求項１〜３のいずれか一項に記載の手摺構造において、
前記床と前記中間床との間の空間が収納空間となっており、
この収納空間と前記床上の部屋とを仕切る壁に、収納空間への出入口が設けられており、
この出入口の上端部に、突出部が前記壁から突出して形成されており、この突出部の上方に前記縦スライド障子が設けられており、
前記縦スライド障子が下方にスライドして前記突出部に当接した際に、前記縦スライド障子の上端部が前記手摺部の下端部に位置することを特徴とする手摺構造。
【請求項５】
請求項１〜３のいずれか一項に記載の手摺構造において、
前記床と前記中間床との間の空間が収納空間となっており、
この収納空間と前記床上の部屋とを仕切る壁に、収納空間への出入口が設けられており、
前記縦スライド障子は、それが最下端位置まで下方にスライドした際に前記出入口を塞ぐことを特徴とする手摺構造。
【発明の詳細な説明】
【技術分野】
【０００１】
本発明は、建物の内部に設けられた手摺構造に関する。
【背景技術】
【０００２】
例えば、バルコニーには、そこからの人や物の落下を防止するために手摺が設けられる場合が多い。この手摺の一例として特許文献１に記載のものが知られている。
この手摺は、手摺取付基部に取付けた複数の支柱と、この隣接した支柱間に取付けたパネル体と、笠木を備え、前記パネル体は下横材と、上横材と、その下横材と上横材とを連結する連結体を一体として有する形状で、前記下横材を手取付基部にビス等で固着したことを特徴とするものである。
ところで、床の一部の上方に中間床が設けられており、この中間床上の中間部屋と前記床上の部屋との境界部に、前記中間部屋からの落下を防止するための手摺として前記特許文献１に記載の手摺を設けることができる。
【先行技術文献】
【特許文献】
【０００３】
【特許文献１】特開２００４−１１３３６号公報
【発明の概要】
【発明が解決しようとする課題】
【０００４】
ところが、上記のような場合、手摺を構成する支柱間が常時開口しているので、床上の部屋と中間床上の中間部屋との間で通風、採光、コミュニケーションをとるのが容易である反面、プライバシーを確保し難いという問題がある。
そこで、手摺の内側または外側に引違い式の襖等を設け、襖の開け閉めによって、通風、採光、コミュニケーションの確保やプライバシーの確保をある程度行うことができる。  しかし、引違い式の襖を開けても、手摺の全面を開放することはできないので、通風、採光、コミュニケーションの確保が不十分な場合がある。
【０００５】
本発明は上記事情に鑑みてなされたもので、床上の部屋と中間床上の中間部屋との間で通風、採光、コミュニケーションを容易かつ十分にとれるとともに、プライバシーも確保できる手摺構造を提供することを課題としている。
【課題を解決するための手段】
【０００６】
上記課題を解決するために、請求項１に記載の発明は、例えば図１〜図７に示すように、床１０の一部の上方に中間床１１が設けられており、
前記中間床１１上の中間部屋２０と前記床１０上の部屋３との境界部に、前記中間部屋２０からの落下を防止する手摺部２６が設けられた手摺構造において、
前記手摺部２６は、複数の縦材２７・・・を平行に並設した構成となっており、
前記手摺部２６に、縦スライド障子３０が隣り合う前記縦材２７，２７間を上下にスライド可能に、かつ前記縦スライド障子３０の上端部が前記手摺部２６の上端部と下端部との間で上下にスライド可能に設けられていることを特徴とする。
【０００７】
請求項１に記載の発明によれば、中間床１１上の中間部屋２０と床１０上の部屋３との境界部に設けられた手摺部２６が複数の縦材２７・・・を平行に並設した構成となっており、前記手摺部２６に、縦スライド障子３０が隣り合う前記縦材２７，２７間を上下にスライド可能に、かつ前記縦スライド障子３０の上端部が前記手摺部２６の上端部と下端部との間で上下にスライド可能に設けられているので、縦スライド障子３０をその上端部が手摺部２６の下端部に位置するまで下方にスライドさせることによって、手摺部２６の全面を開放できる。したがって、床１０上の部屋３と中間床１１上の中間部屋２０との間で通風、採光、コミュニケーションを容易かつ十分にとれる。
また、縦スライド障子３０を適宜スライドさせて、上下の所望の位置で保持することによって、通風量、採光量を調整できる。
また、縦スライド障子３０をその上端部が手摺部２６の上端部に位置するまで上方にスライドさせることによって手摺部２６の全面を閉鎖できるので、プライバシーを十分に確保できる。
さらに、縦スライド障子３０が手摺部２６に上下にスライド可能に設けられており、中間部屋２０に配置されていないので、縦スライド障子３０によって中間部屋を狭くすることもない。
【０００８】
請求項２に記載の発明は、請求項１に記載の手摺構造において、
前記縦スライド障子３０は、平行に並設されて、隣り合う前記縦材２７，２７間にそれぞれ配置される複数のスライド縦材３１・・・と、隣り合う前記スライド縦材３１，３１の下端部を連結する連結材３２とを備えていることを特徴とする。
【０００９】
請求項２に記載の発明によれば、縦スライド障子３０が、複数のスライド縦材３１・・・と、隣り合うスライド縦材３１，３１の下端部を連結する連結材３２とを備えているので、複数のスライド縦材３１・・・を一体的に上下にスライドさせることができる。
また、連結材３２によってスライド縦材３１の下端部を前後左右にぶれないように補強できる。
【００１０】
請求項３に記載の発明は、請求項２に記載の手摺構造において、
前記縦材２７とスライド縦材３１とのうちの一方に凹溝２７ａが形成され、他方に凸条３１ａが形成され、これら凹溝２７ａと凸条３１ａとは上下にスライド可能に係合していることを特徴とする。
【００１１】
請求項３に記載の発明によれば、凹溝２７ａと凸条３１ａとが上下にスライド可能に係合しているので、複数のスライド縦材３１を縦材２７，２７間から逸脱させることなく、上下にスムーズにスライドさせることができる。
【００１２】
請求項４に記載の発明は、請求項１〜３のいずれか一項に記載の手摺構造において、
前記床１０と前記中間床１１との間の空間が収納空間１２となっており、
この収納空間１２と前記床１０上の部屋３とを仕切る壁１３に、収納空間１２への出入口１７が設けられており、
この出入口１７の上端部に、突出部３３が前記壁１３から突出して形成されており、この突出部３３の上方に前記縦スライド障子３０が設けられており、
前記縦スライド障子３０が下方にスライドして前記突出部３３に当接した際に、前記縦スライド障子３０の上端部が前記手摺部２６の下端部に位置することを特徴とする。
【００１３】
請求項４に記載の発明によれば、収納空間１２と床１０上の部屋３とを仕切る壁１３に設けられた出入口１７の上端部に、突出部３３が前記壁１３から突出して形成されており、この突出部３３の上方に縦スライド障子３０が設けられており、この縦スライド障子３０が下方にスライドして前記突出部３３に当接した際に、前記縦スライド障子３０の上端部が前記手摺部２６の下端部に位置するので、縦スライド障子３０は突出部３３によって下方へのスライドが規制されるとともに、手摺部２６の全面が開放される。
【００１４】
請求項５に記載の発明は、例えば図８および図９に示すように、請求項１〜３のいずれか一項に記載の手摺構造において、
前記床１０と前記中間床１１との間の空間が収納空間１２となっており、
この収納空間１２と前記床１０上の部屋３とを仕切る壁に、収納空間１２への出入口１７が設けられており、
前記縦スライド障子４０は、それが最も下方にスライドした際に前記出入口１７を塞ぐことを特徴とする。
【００１５】
請求項５に記載の発明によれば、縦スライド障子４０は、それが最も下方にスライドした際に前記収納空間１２の出入口１７を塞ぐので、縦スライド障子４０によって、収納空間の出入口１７を開閉できる。
【発明の効果】
【００１６】
本発明によれば、中間床上の中間部屋と床上の部屋との境界部に設けられた手摺部が複数の縦材を平行に並設した構成となっており、前記手摺部に、縦スライド障子が隣り合う前記縦材間を上下にスライド可能に、かつ前記縦スライド障子の上端部が前記手摺部の上端部から下端部との間で上下にスライド可能に設けられているので、縦スライド障子をその上端部が手摺部の下端部に位置するまで下方にスライドさせることによって、手摺部の全面を開放できる。したがって、床上の部屋と中間床上の中間部屋との間で通風、採光、コミュニケーションを容易かつ十分にとれる。
また、縦スライド障子をその上端部が手摺部の上端部に位置するまで上方にスライドさせることによって手摺部の全面を閉鎖できるので、プライバシーを十分に確保できる。
【図面の簡単な説明】
【００１７】
【図１】本発明に係る手摺構造の一例を示すもので、その正面図である。
【図２】同、側断面図である。
【図３】同、手摺部を開放した状態を示す斜視図である。
【図４】同、手摺部を閉鎖した状態を示す斜視図である。
【図５】同、平断面図である。
【図６】同、要部の側断面図である。
【図７】本発明に係る手摺構造を備えた建物の平面図である。
【図８】本発明に係る手摺構造の他の例を示すもので、その正面図である。
【図９】同、側断面図である。
【発明を実施するための形態】
【００１８】
以下図面を参照して本発明の実施の形態について説明する。
（第１の実施の形態）
まず、本発明に係る手摺構造を説明する前に、該手摺構造を備えた建物について簡単に説明する。
図７は建物の１階の平面図である。この建物は平屋建物であり、北西の角部には玄関１が設けられている。玄関１の南側にはキッチン２が設けられており、このキッチン２の東側にはリビングダイニング３がキッチン２と連続して設けられている。リビングダイニング３の東側には寝室４が設けられており、寝室４の北側にはトイレ５が設けられている。トイレ５の北側には洗面室６と浴室７とが東西に隣接して設けられている。
【００１９】
また、１階の南側には、図２に示すように、１階の床１０の一部の上方に中間床１１が設けられている。この中間床１１は床１０より０．９〜１．４ｍ程度高くなっており、この中間床１１と床１０との間の空間は収納空間１２となっている。収納空間１２は、図７に示すように、リビングダイニング３に面する内壁１３と、この内壁１３の両端部に該内壁１３と直角に配置された互いに平行な内壁１４，１５と、この内壁１４，１５が直角に交わる外壁１６とによって囲まれている。
【００２０】
内壁１３には、図１、図２、図４に示すように、矩形状の出入口１７が形成されており、この出入口１７から収納空間１２に出入りできるようになっている。また、内壁１３の裏側には、収納家具１８，１８が内壁１３に沿って左右に移動可能に設けられており、この収納家具１８，１８によって出入口１７を開閉するようになっている。なお、この収納家具１８の前面側に収納部が設けられおり、リビングダイニング３側から物を収納できるようになっている。
【００２１】
中間床１１上には、図２に示すように、中間部屋２０が設けられており、この中間部屋２０の縁部には腰壁２１が中間部屋２０と前記リビングダイニング３との境界部に設けられている。この腰壁２１の上方には、収納部２２がリビングダイニング３上の天井２３から垂下して設けられており、この収納部２２の開口部は中間部屋２０側に向いている。
また、図１に示すように、中間床１１の一部を構成する踊り場２４ａと１階の床１０との間には階段２４が設けられている。そして、この踊り場２４ａから中間部屋２０に出入りできるようになっている。
【００２２】
次に本発明に係る手摺構造について説明する。
前記腰壁２１の長手方向略中央部には開口部２５が設けられている。この開口部２５は矩形状に形成されており、この開口部２５の前方に、中間部屋２０からリビングダイニング３への落下を防止する手摺部２６が設けられている。つまり、中間部屋２０と前記床１０上の部屋であるリビングダイニング３との境界部に、手摺部２６が中間床１１の前方において設けられている。
【００２３】
前記手摺部２６は、複数（例えば７本）の縦材２７・・・を平行に一定間隔で並設した構成となっている。図３〜図６に示すように、縦材２７は上下に延在する角材で形成されており、その上端面が、前記収納部２２の底面に固定部材２７ｂを介して固定され、下端部の裏面が中間床１１の先端面に固定部材２７ｃを介して固定されている。
また、左右に隣り合う縦材２７，２７の対向する側面には、凹溝２７ａ，２７ａが上下に延在し、かつ対向して形成されている。この凹溝２７ａは断面略円弧状に形成されている。
【００２４】
前記手摺部２６には、縦スライド障子３０が隣り合う前記縦材２７，２７間を上下にスライド可能に、かつ縦スライド障子３０の上端部が手摺部２６の上端部と下端部との間で上下にスライド可能に設けられている。
縦スライド障子３０は、平行に並設されて、隣り合う縦材２７，２７間にそれぞれ配置される複数（例えば６本）のスライド縦材３１・・・と、隣り合うスライド縦材３１，３１の下端部を連結する連結材３２とを備えている。
【００２５】
スライド縦材３１は縦長の帯板状に形成されており、その左右の幅は隣り合う縦材２７，２７の対向する側面間とほぼ等しい長さになっている。また、スライド縦材３１の上下の長さは、縦材２７の上下の長さとほぼ等しい長さとなっている。また、スライド縦材３１の厚さは、縦材２７の厚さより薄くなっている。
スライド縦材３１の左右の側面には、対向する凹溝２７ａ，２７ａに上下にスライド可能に係合する凸条３１ａ，３１ａが形成されている。凸条３１ａは断面円弧状に形成されている。
連結材３２は矩形板状に形成されており、その長さは隣り合うスライド縦材３１，３１の対向する側面と等しい長さとなっており、両端部が隣り合うスライド縦材３１，３１の対向する側面に連結されている。また、連結材３２の下面はスライド縦材３１の下端面と面一となっている。
【００２６】
そして、このような構成の縦スライド障子３０は、そのスライド縦材３１が隣り合う縦材２７，２７間を上下にスライド可能になっているとともに、凸条３１ａと凹溝２７ａの接触面の摩擦力およびスライド縦材３１の側面と縦材２７の側面の接触面の摩擦力によって上下の所望の位置で、自重で降下しないように保持可能となっている。
【００２７】
また、縦スライド障子３０は、その上端部が手摺部２６の上端部と下端部との間で上下にスライド可能に設けられている。したがって、縦スライド障子３０の上端部が手摺部２６の上端部に位置する場合は、縦スライド障子３０のスライド縦材３１によって手摺部２６の隣り合う縦材２７，２７間が閉じられ、一方、縦スライド障子３０の上端部が手摺部２６の下端部に位置する場合は、縦スライド障子３０のスライド縦材３１が手摺部２６の隣り合う縦材２７，２７間から下方に引き抜かれて、該縦材２７，２７間が開放されるようになっている。
【００２８】
また、収納空間１２とリビングダイニング３とを仕切る内壁１３に形成された出入口１７の上端部には、突出部３３が内壁１３から突出して形成されている。突出部３３は左右に長尺な帯板を水平にし、その下面を出入口１７の上部内周面とほぼ面一にして設けられている。また、突出部３３の左右の長さは、出入口１７の左右の幅とほぼ等しく、かつ縦スライド障子３０の左右の幅より長くなっている。
そして、この突出部３３の上方に前記縦スライド障子３０が設けられており、この縦スライド障子３０が下方にスライドして突出部３３に当接した際に、縦スライド障子３０の上端部が手摺部２６の下端部に位置して、手摺部２６の縦材２７，２７間が開放されるようになっている。
【００２９】
本実施の形態によれば、縦スライド障子３０をその上端部が手摺部２６の下端部に位置するまで下方にスライドさせることによって、手摺部２６の全面、すなわち、隣り合う縦材２７，２７間全てを開放できる。したがって、床１０上の部屋（リビングダイニング）３と中間床１１上の中間部屋２０との間で通風、採光、コミュニケーションを容易かつ十分にとれる。
また、縦スライド障子３０を適宜スライドさせて、上下の所望の位置で保持することによって、通風量、採光量を調整できる。
また、縦スライド障子３０をその上端部が手摺部２６の上端部に位置するまで上方にスライドさせることによって手摺部２６の全面を閉鎖できるので、プライバシーを十分に確保できる。
【００３０】
さらに、手摺部２６が中間部屋２０より外側に位置しており、この手摺部２６に縦スライド障子３０が上下にスライド可能に設けられて、中間部屋２０に配置されていないので、手摺部２６や縦スライド障子３０によって中間部屋２０を狭くすることもない。
加えて、手摺部２６や縦スライド障子３０が中間部屋２０にないので、中間部屋２０において、手摺部２６の内側に飾り棚２９等を設けることができる。なお、この飾り棚２９の端部は前記開口部２５の左右に対向する内壁面に固定すればよい。
【００３１】
また、縦スライド障子３０が、複数のスライド縦材３１・・・と、隣り合うスライド縦材３１，３１の下端部を連結する連結材３２とを備えているので、複数のスライド縦材３１・・・を一体的に上下にスライドさせることができる。
また、連結材３２によってスライド縦材３１の下端部を前後左右にぶれないように補強できる。
また、手摺部２６を構成する縦材２７に凹溝２７ａが形成され、縦スライド障子３０を構成するスライド縦材３１に凸条３１ａが形成され、これら凹溝２７ａと凸条３１ａとが上下にスライド可能に係合しているので、複数のスライド縦材３１・・・を縦材２７，２７間から逸脱させることなく、上下にスムーズにスライドさせることができる。
【００３２】
さらに、収納空間１２と床１０上の部屋（リビングダイニング）３とを仕切る内壁１３に設けられた出入口１７の上端部に、突出部３３が内壁１３から突出して形成されており、この突出部３３の上方に縦スライド障子３０が設けられ、この縦スライド障子３０が下方にスライドして突出部３３に当接した際に、縦スライド障子３０の上端部が手摺部２６の下端部に位置するので、縦スライド障子３０は突出部３３によって下方へのスライドが規制されるとともに、手摺部２６の全面が開放される。
【００３３】
なお、本実施の形態では、縦スライド障子３０を、複数のスライド縦材３１・・・と、これらを連結する連結材３２とで構成したが、複数のスライド縦材３１・・・のみによって構成してもよい。このようにすれば、複数のスライド縦材３１・・・のうち所望のスライド縦材３１を上下にスライドさせることができる。
また、本実施の形態では、腰壁２１の長手方向略中央部に開口部２５を設けたが、腰壁２１の長手方向全域に渡って開口部を設け、この開口部に手摺部を設けてもよい。
【００３４】
（第２の実施の形態）
図８および図９は本発明の第２の実施の形態を示すものである。本実施の形態が前記第１の実施の形態と主に異なる点は、手摺部および縦スライド障子の構成であるので、以下では、これらについて詳しく説明し、第１の実施の形態と同一構成部分には同一符号を付してその説明を省略ないし簡略化する。
【００３５】
図８および図９に示すように、中間床１１上には中間部屋２０が設けられており、この中間部屋２０の縁部には、前記腰壁２１に代えて、内壁３４が中間部屋２０と前記リビングダイニング３との境界部に設けられている。この内壁３４の上端部は天井２３まで達している。
前記内壁３４の長手方向略中央部には開口部３５が設けられている。この開口部３５は矩形状に形成されており、その上端は天井２３まで達しており、下端は中間床１１と等しい高さに位置している。
そして、この開口部３５の前方に、中間部屋２０からリビングダイニング３への落下を防止する手摺部３６が設けられている。つまり、中間部屋２０とリビングダイニング３との境界部に、手摺部３６が中間床１１の前方において設けられている。
【００３６】
前記手摺部３６は、複数（例えば７本）の縦材３７・・・を平行に一定間隔で並設した構成となっている。縦材３７は、前記縦材２７と同様に、上下に延在する角材で形成されており、その上端面が天井２３固定され、下端部の裏面が中間床１１の先端面に固定部材２７ｃを介して固定されている。
また、左右に隣り合う縦材３７，３７の対向する側面には、凹溝３７ａ，３７ａが上下に延在し、かつ対向して形成されている。この凹溝３７ａは断面略円弧状に形成されている。
【００３７】
前記手摺部３６には、縦スライド障子４０が隣り合う前記縦材３７，３７間を上下にスライド可能に、かつ縦スライド障子４０の上端部が手摺部３６の上端部と下端部との間で上下にスライド可能に設けられている。
縦スライド障子４０は、平行に並設されて、隣り合う縦材３７，３７間にそれぞれ配置される複数（例えば６本）のスライド縦材４１・・・と、隣り合うスライド縦材４１，４１の下端部を連結する連結材４２とを備えている。
【００３８】
スライド縦材４１は縦長の帯板状に形成されており、その左右の幅は隣り合う縦材３７，３７の対向する側面間とほぼ等しい長さになっている。また、スライド縦材４１の上下の長さは、縦材３７の上下の長さとほぼ等しい長さとなっている。また、スライド縦材４１の厚さは、縦材３７の厚さより薄くなっている。
スライド縦材４１の左右の側面には、対向する凹溝２７ａ，２７ａに上下にスライド可能に係合する凸条（図示略）が形成されている。凸条は断面円弧状に形成されている。
連結材４２は矩形板状に形成されており、その長さは隣り合うスライド縦材４１，４１の対向する側面と等しい長さとなっており、両端部が隣り合うスライド縦材４１，４１の対向する側面に連結されている。また、連結材４２の下面はスライド縦材４１の下端面と面一となっている。
【００３９】
そして、このような構成の縦スライド障子４０は、そのスライド縦材４１が隣り合う縦材３７，３７間を上下にスライド可能になっているとともに、凸条と凹溝２７ａの接触面の摩擦力およびスライド縦材４１の側面と縦材３７の側面の接触面の摩擦力によって上下の所望の位置で、自重で降下しないように保持可能となっている。
また、縦スライド障子４０は、その上端部が手摺部３６の上端部と下端部との間で上下にスライド可能に設けられている。したがって、縦スライド障子４０の上端部が手摺部３６の上端部に位置する場合は、縦スライド障子４０のスライド縦材４１によって手摺部３６の隣り合う縦材３７，３７間が閉じられ、一方、縦スライド障子４０の上端部が手摺部３６の下端部に位置する場合は、縦スライド障子４０のスライド縦材４１が手摺部３６の隣り合う縦材３７，３７間から下方に引き抜かれて、該縦材３７，３７間が開放されるようになっている。
【００４０】
さらに、縦スライド障子４０は、その上端部が手摺部３６の下端部に位置すると同時に、下端部が床１０に当接して、最も下方にスライドし、その際に、前記出入口１７を塞ぐようになっている。
つまり、縦スライド障子４０が下方にスライドして床１０に当接した際に、前記出入口１７が塞がれるとともに、手摺部３６の隣り合う縦材３７，３７間全体が開放されるようになっており、一方、縦スライド障子４０が上方にスライドして、天井２３に当接した際に、前記出入口１７が開口されるとともに、手摺部３６の隣り合う縦材３７，３７間全体が閉鎖されるようになっている。
【００４１】
このように、本実施の形態では、縦スライド障子４０は、それが最も下方にスライドした際に前記収納空間１２の出入口１７を塞ぐので、縦スライド障子４０によって、収納空間１２の出入口１７を開閉できるという利点がある。
また、手摺部３６および縦スライド障子４０が、第１実施の形態の手摺部２６および縦スライド障子４０より上下に長いので、床１０上の部屋（リビングダイニング）３と中間床１１上の中間部屋２０との間で通風、採光、コミュニケーションを第１実施の形態より大きくとれる。
【００４２】
なお、本実施の形態では、縦スライド障子４０を、複数のスライド縦材４１・・・と、これらを連結する連結材４２とで構成したが、複数のスライド縦材４１・・・のみによって構成してもよい。
また、本実施の形態では、内壁３４の長手方向略中央部に開口部３５を設けたが、内壁３４の長手方向全域に渡って開口部を設け、この開口部に手摺部を設けてもよい。
【００４３】
さらに、前記２つの実施の形態では、凸条３１ａと凹溝２７ａの接触面の摩擦力およびスライド縦材３１（４１）の側面と縦材２７（３７）の側面の接触面の摩擦力によって、縦スライド障子３０（４０）上下の所望の位置で、自重で降下しないように保持可能となっているが、これに代えて、縦スライド障子３０（４０）を適宜のストッパーによって上下の所望の位置で、自重で降下しないように保持可能としてもよい。
【符号の説明】
【００４４】
３  リビングダイニング（部屋）
１０  床
１１  中間床
２０  中間部屋
２６，３６  手摺部
２７，３７  縦材
２７ａ  凹溝
３０，４０  縦スライド障子
３１，４１  スライド縦材
３１ａ  凸条
３２，４２  連結材
３３  突出部
【図１】
2010163836.tif 000003
【図２】
2010163836.tif 000004
【図３】
2010163836.tif 000005
【図４】
2010163836.tif 000006
【図５】
2010163836.tif 000007
【図６】
2010163836.tif 000008
【図７】
2010163836.tif 000009
【図８】
2010163836.tif 000010
【図９】
2010163836.tif 000011